【事件の表示】
　特許第５４６９１９２号に関する訂正審判事件について、次のとおり審決する。
【結　論】
　特許第５４６９１９２号に係る明細書、特許請求の範囲を本件審判請求書に添付された訂正明細書、特許請求の範囲のとおり訂正することを認める。
【理　由】
第１　手続の経緯
　
　本件特許第５４６９１９２号は、平成９年９月２２日（パリ条約による優先権主張１９９６年９月２０日　米国、１９９６年９月２０日　米国、１９９７年２月１４日　米国、１９９７年８月１１日　米国）に出願した特願平９−２５７１５６号の一部を平成１９年１１月１４日に新たな特許出願とした特願２００７−２９５４８３号の一部を平成２０年７月２２日に新たな特許出願とした特願２００８−１８９１０３号の一部を平成２４年４月１３日に新たな特許出願としたものであって、平成２６年２月７日にその特許権の設定登録がされ、その後、平成２７年１月６日付けで本件審判が請求されたものである。
　
第２　請求の趣旨
　
　本件審判請求の趣旨は、特許第５４６９１９２号の明細書、特許請求の範囲を本審判請求書に添付した訂正明細書、特許請求の範囲のとおり訂正することを認める、との審決を求めるものである。
　
第３　訂正事項
　
　訂正事項１
　請求項１において、
「６４の係数のブロックＸについての係数を、ブロックＸの左側のブロックＡについてのＤＣ係数ＤＣＡと、ブロックＸの左上側のブロックＢについてのＤＣ係数ＤＣＢと、ブロックＡの上側のブロックＣについてのＤＣ係数ＤＣＣと、」との記載を、「６４の係数のブロックＸについての係数を、ブロックＸの左側のブロックＡについてのＤＣ係数ＤＣＡと、ブロックＸの左上側のブロックＢについてのＤＣ係数ＤＣＢと、ブロックＸの上側のブロックＣについてのＤＣ係数ＤＣＣと、」に訂正する。
　
　訂正事項２
　請求項１において、
「｜ＤＣＡ−ＤＣＢ｜＜｜ＤＣＢ−ＤＣＣ｜の場合、ブロックＸのＤＣ係数を前記ＤＣＣから予測し、それ以外の場合には前記ＤＣＡから予測するステップであって、」との記載を、「｜ＤＣＡ−ＤＣＢ｜＜｜ＤＣＢ−ＤＣＣ｜の場合、ブロックＸのＤＣ係数を前記ＤＣＣから予測し、それ以外の場合にはブロックＸのＤＣ係数を前記ＤＣＡから予測するステップであって、」に訂正する。
　
　訂正事項３
　請求項１において、
「その他の場合には、ブロックＸにおけるＡＣ係数の第１列をブロックＡにおけるＡＣ係数のＤＣＡと同じ列から予測するステップと、」との記載を、「その他の場合には、ブロックＸにおけるＡＣ係数の第１列をブロックＡにおけるＤＣＡと同じ列のＡＣ係数から予測するステップと、」に訂正する。
　
　訂正事項４
　請求項４において、
「６４の係数のブロックＸについての係数を、ブロックＸの左側のブロックＡについてのＤＣ係数ＤＣＡと、ブロックＸの左上側のブロックＢについてのＤＣ係数ＤＣＢと、ブロックＡの上側のブロックＣについてのＤＣ係数ＤＣＣと、」との記載を、「６４の係数のブロックＸについての係数を、ブロックＸの左側のブロックＡについてのＤＣ係数ＤＣＡと、ブロックＸの左上側のブロックＢについてのＤＣ係数ＤＣＢと、ブロックＸの上側のブロックＣについてのＤＣ係数ＤＣＣと、」に訂正する。
　
　訂正事項５
　請求項４において、
「｜ＤＣＡ−ＤＣＢ｜＜｜ＤＣＢ−ＤＣＣ｜の場合、ブロックＸのＤＣ係数を前記ＤＣＣから予測し、それ以外の場合には前記ＤＣＡから予測するステップであって、」との記載を、「｜ＤＣＡ−ＤＣＢ｜＜｜ＤＣＢ−ＤＣＣ｜の場合、ブロックＸのＤＣ係数を前記ＤＣＣから予測し、それ以外の場合にはブロックＸのＤＣ係数を前記ＤＣＡから予測するステップであって、」に訂正する。
　
　訂正事項６
　請求項４において、
「その他の場合には、ブロックＸにおけるＡＣ係数の第１列をブロックＡにおけるＡＣ係数のＤＣＡと同じ列から予測するステップと、」との記載を、「その他の場合には、ブロックＸにおけるＡＣ係数の第１列をブロックＡにおけるＤＣＡと同じ列のＡＣ係数から予測するステップと、」に訂正する。
　
　訂正事項７
　請求項４において、
「前記ブロックＸの係数の可変長符号化」との記載を、「前記ブロックＸの係数の可変長復号化」に訂正する。
　
　訂正事項８
　請求項５において、
「６４の係数のブロックＸについての係数を、ブロックＸの左側のブロックＡについてのＤＣ係数ＤＣＡと、ブロックＸの左上側のブロックＢについてのＤＣ係数ＤＣＢと、ブロックＡの上側のブロックＣについてのＤＣ係数ＤＣＣと、」との記載を、「６４の係数のブロックＸについての係数を、ブロックＸの左側のブロックＡについてのＤＣ係数ＤＣＡと、ブロックＸの左上側のブロックＢについてのＤＣ係数ＤＣＢと、ブロックＸの上側のブロックＣについてのＤＣ係数ＤＣＣと、」に訂正する。
　
　訂正事項９
　請求項５において、
「｜ＤＣＡ−ＤＣＢ｜＜｜ＤＣＢ−ＤＣＣ｜の場合、ブロックＸのＤＣ係数を前記ＤＣＣから予測し、それ以外の場合には前記ＤＣＡから予測するステップであって、」との記載を、「｜ＤＣＡ−ＤＣＢ｜＜｜ＤＣＢ−ＤＣＣ｜の場合、ブロックＸのＤＣ係数を前記ＤＣＣから予測し、それ以外の場合にはブロックＸのＤＣ係数を前記ＤＣＡから予測するステップであって、」に訂正する。
　
　訂正事項１０
　請求項５において、
「その他の場合には、ブロックＸにおけるＡＣ係数の第１列をブロックＡにおけるＡＣ係数のＤＣＡと同じ列から予測するステップと、」との記載を、「その他の場合には、ブロックＸにおけるＡＣ係数の第１列をブロックＡにおけるＤＣＡと同じ列のＡＣ係数から予測するステップと、」に訂正する。
　
　訂正事項１１
　請求項５において、
「前記ブロックＸの係数の可変長符号化」との記載を、「前記ブロックＸの係数の可変長復号化」に訂正する。
　
　訂正事項１２
　請求項６において、
「６４の係数のブロックＸについての係数を、ブロックＸの左側のブロックＡについてのＤＣ係数ＤＣＡと、ブロックＸの左上側のブロックＢについてのＤＣ係数ＤＣＢと、ブロックＡの上側のブロックＣについてのＤＣ係数ＤＣＣと、」との記載を、「６４の係数のブロックＸについての係数を、ブロックＸの左側のブロックＡについてのＤＣ係数ＤＣＡと、ブロックＸの左上側のブロックＢについてのＤＣ係数ＤＣＢと、ブロックＸの上側のブロックＣについてのＤＣ係数ＤＣＣと、」に訂正する。
　
　訂正事項１３
　請求項６において、
「｜ＤＣＡ−ＤＣＢ｜＜｜ＤＣＢ−ＤＣＣ｜の場合、ブロックＸのＤＣ係数を前記ＤＣＣから予測し、それ以外の場合には前記ＤＣＡから予測するステップであって、」との記載を、「｜ＤＣＡ−ＤＣＢ｜＜｜ＤＣＢ−ＤＣＣ｜の場合、ブロックＸのＤＣ係数を前記ＤＣＣから予測し、それ以外の場合にはブロックＸのＤＣ係数を前記ＤＣＡから予測するステップであって、」に訂正する。
　
　訂正事項１４
　請求項６において、
「その他の場合には、ブロックＸにおけるＡＣ係数の第１列をブロックＡにおけるＡＣ係数のＤＣＡと同じ列から予測するステップと、」との記載を、「その他の場合には、ブロックＸにおけるＡＣ係数の第１列をブロックＡにおけるＤＣＡと同じ列のＡＣ係数から予測するステップと、」に訂正する。
　
　訂正事項１５
　請求項６において、
「前記ブロックＸの係数の可変長符号化」との記載を、「前記ブロックＸの係数の可変長復号化」に訂正する。
　
　訂正事項１６
　請求項７において、
「受信したＡＣ予測フラグが、ブロックＸの復号を行うときにＡＣ予測が行われるべきことを示す場合であって、」との記載を、「受信したＡＣ予測フラグが、対象ブロックの復号を行うときにＡＣ予測が行われるべきことを示す場合であって、」に訂正する。
　
　訂正事項１７
　請求項７において、
「を含む符号化方法。」との記載を、「を含む復号化方法。」に訂正する。
　
　訂正事項１８
　請求項８において、
「受信したＡＣ予測フラグが、ブロックＸの復号を行うときにＡＣ予測が行われるべきことを示す場合であって、」との記載を、「受信したＡＣ予測フラグが、対象ブロックの復号を行うときにＡＣ予測が行われるべきことを示す場合であって、」に訂正する。
　
　訂正事項１９
　請求項９において、
「受信したＡＣ予測フラグが、ブロックＸの復号を行うときにＡＣ予測が行われるべきことを示す場合であって、」との記載を、「受信したＡＣ予測フラグが、対象ブロックの復号を行うときにＡＣ予測が行われるべきことを示す場合であって、」に訂正する。
　
　訂正事項２０
　請求項１０において、
「受信したＡＣ予測フラグが、ブロックＸの復号を行うときにＡＣ予測が行われるべきことを示す場合であって、」との記載を、「受信したＡＣ予測フラグが、対象ブロックの復号を行うときにＡＣ予測が行われるべきことを示す場合であって、」に訂正する。
　
　訂正事項２１
　請求項１１において、
「第１勾配が第２勾配より小さい場合には、ブロックＸのＤＣ係数ＤＣＸをＤＣＣを用いて発生し、それ以外の場合には、ブロックＸのＤＣ係数ＤＣＸをＤＣＡを用いて発生し、それ以外の場合には、ＤＣＸをＤＣＡを用いて発生するステップと、」との記載を、「第１勾配が第２勾配より小さい場合には、ブロックＸのＤＣ係数ＤＣＸをＤＣＣを用いて発生し、それ以外の場合には、ブロックＸのＤＣ係数ＤＣＸをＤＣＡを用いて発生するステップと、」に訂正する。
　
　訂正事項２２
　請求項１１において、
「その他の場合には、対象ブロックにおけるＡＣ係数の第１列を第１ブロックにおけるＤＣＡと同一列のＡＣ係数から予測するとともに、」との記載を、「その他の場合には、ブロックＸにおけるＡＣ係数の第１列をブロックＡにおけるＤＣＡと同一列のＡＣ係数から予測するとともに、」に訂正する。
　
　訂正事項２３
　請求項１４において、
「第１勾配が第２勾配より小さい場合には、ブロックＸのＤＣ係数ＤＣＸをＤＣＣを用いて発生し、それ以外の場合には、ブロックＸのＤＣ係数ＤＣＸをＤＣＡを用いて発生し、それ以外の場合には、ＤＣＸをＤＣＡを用いて発生するステップと、」との記載を、「第１勾配が第２勾配より小さい場合には、ブロックＸのＤＣ係数ＤＣＸをＤＣＣを用いて発生し、それ以外の場合には、ブロックＸのＤＣ係数ＤＣＸをＤＣＡを用いて発生するステップと、」に訂正する。
　
　訂正事項２４
　請求項１５において、
「｜ＤＣＡ−ＤＣＢ｜＜｜ＤＣＢ−ＤＣＣ｜の場合、ブロックＸのＤＣ係数をブロックＣから発生し、それ以外の場合にはブロックＸのＤＣ係数をブロックＡから発生する、」との記載を、「｜ＤＣＡ−ＤＣＢ｜＜｜ＤＣＢ−ＤＣＣ｜の場合、ブロックＸのＤＣ係数をブロックＣにおけるＤＣＣから発生し、それ以外の場合にはブロックＸのＤＣ係数をブロックＡにおけるＤＣＡから発生する、」に訂正する。
　
　訂正事項２５
　請求項１５において、
「その他の場合には、ブロックＸにおける第１列を、ブロックＡにおけるＡＣ係数のＤＣＡと同じ列のＡＣ係数から予測する、」との記載を、「その他の場合には、ブロックＸにおけるＡＣ係数の第１列を、ブロックＡにおけるＤＣＡと同じ列のＡＣ係数から予測する、」に訂正する。
　
　訂正事項２６
　請求項１７において、
「｜ＤＣＡ−ＤＣＢ｜＜｜ＤＣＢ−ＤＣＣ｜の場合、ブロックＸのＤＣ係数をブロックＣから発生し、それ以外の場合にはブロックＸのＤＣ係数をブロックＡから発生する、」との記載を、「｜ＤＣＡ−ＤＣＢ｜＜｜ＤＣＢ−ＤＣＣ｜の場合、ブロックＸのＤＣ係数をブロックＣにおけるＤＣＣから発生し、それ以外の場合にはブロックＸのＤＣ係数をブロックＡにおけるＤＣＡから発生する、」に訂正する。
　
　訂正事項２７
　請求項１７において、
「その他の場合には、ブロックＸにおける第１列を、ブロックＡにおけるＡＣ係数のＤＣＡと同じ列のＡＣ係数から予測する、」との記載を、「その他の場合には、ブロックＸにおけるＡＣ係数の第１列を、ブロックＡにおけるＤＣＡと同じ列のＡＣ係数から予測する、」に訂正する。
　
　訂正事項２８
　請求項１７において、
「前記ＡＣ予測フラグが、対象ブロックの復号を行うときにＡＣ予測が使用されていないことを示すときに、」との記載を、「前記ＡＣ予測フラグが、ブロックＸの復号を行うときにＡＣ予測が使用されていないことを示すときに、」に訂正する。
　
　訂正事項２９
　請求項１８において、
「｜ＤＣＡ−ＤＣＢ｜＜｜ＤＣＢ−ＤＣＣ｜の場合、ブロックＸのＤＣ係数をブロックＣから発生し、それ以外の場合にはブロックＸのＤＣ係数をブロックＡから発生する、」との記載を、「｜ＤＣＡ−ＤＣＢ｜＜｜ＤＣＢ−ＤＣＣ｜の場合、ブロックＸのＤＣ係数をブロックＣにおけるＤＣＣから発生し、それ以外の場合にはブロックＸのＤＣ係数をブロックＡにおけるＤＣＡから発生する、」に訂正する。
　
　訂正事項３０
　請求項１８において、
「その他の場合には、ブロックＸにおける第１列を、ブロックＡにおけるＡＣ係数のＤＣＡと同じ列のＡＣ係数から予測する、」との記載を、「その他の場合には、ブロックＸにおけるＡＣ係数の第１列を、ブロックＡにおけるＤＣＡと同じ列のＡＣ係数から予測する、」に訂正する。
　
　訂正事項３１
　請求項１８において、
「ＡＣ予測フラグが、ブロックＸの復号を行うときにＡＣ予測が行われたことを示す場合には、」との記載を、「ＡＣ予測フラグが、ブロックＸの復号を行うときにＡＣ予測が行われることを示す場合には、」に訂正する。
　
第４　当審の判断
　
１　訂正の目的の適否、新規事項の有無、及び拡張・変更の存否について
　
（１）訂正事項１
　
　特許明細書の「ブロックＸに対し垂直方向に隣接するブロックＣ」（段落【００２３】）や【図２】の記載から、ブロックＣは、ブロックＡの上側でなく、ブロックＸの上側であり、訂正前の「ブロックＡの上側のブロックＣについてのＤＣ係数ＤＣＣ」は、「ブロックＸの上側のブロックＣについてのＤＣ係数ＤＣＣ」の誤記であることは明らかであるから、訂正事項１は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（２）訂正事項２
　
　訂正前の「前記ＤＣＡから予測する」との記載は、何を前記ＤＣＡから予測するのかが明瞭でなかったが、直前の記載である「ブロックＸのＤＣ係数を前記ＤＣＣから予測し、」に整合させて、「ブロックＸのＤＣ係数を前記ＤＣＡから予測する」と訂正することにより、何を前記ＤＣＡから予測するのかが明瞭になるから、訂正事項２は、明瞭でない記載の釈明を目的とするものである。
　また、特許明細書の「図４に示されている復元回路２５０の中で逆予測動作が実行される。全てのブロックＸについて、ＤＣ係数予測器４００は、ブロックＸに先行する隣接ブロックＡのデータ、ブロックＸより上の隣接ブロックＣのデータ及びブロックＸより上のブロックであるブロックＣに先行するブロックＢのデータをメモリ内に保持する。ＤＣ係数予測器４００は、ブロックＡのＤＣ係数をブロックＢのＤＣ係数と比較して、垂直勾配を決定する。更に、ＤＣ係数予測器４００は、ブロックＣのＤＣ係数をブロックＢのＤＣ係数と比較して水平勾配を決定する。水平勾配が垂直勾配よりも大きい場合、ＤＣ係数予測器４００は、予測のためのベースとしてブロックＣのＤＣ係数を生成する。そうでなければ、ＤＣ係数予測器４００はブロックＡのＤＣ係数を生成する。」（段落【００３５】）の記載から、ブロックＸについて、ＤＣ係数予測器は、水平勾配が垂直勾配よりも大きい場合、ブロックＣのＤＣ係数から予測し、そうでなければ、ブロックＡのＤＣ係数から予測するものであり、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（３）訂正事項３
　
　訂正前の「ブロックＡにおけるＡＣ係数のＤＣＡと同じ列から予測する」の記載は、「ブロックＡにおけるＡＣ係数の、ＤＣＡと同じ列から予測する」と「ブロックＡにおけるＡＣ係数のＤＣＡと、同じ列から予測する」の２通りに読み取れ、その記載が明瞭でなかったが、直前の記載である「ブロックＣにおけるＤＣＣと同じ行のＡＣ係数から予測し、」に整合させて、「ブロックＡにおけるＤＣＡと同じ列のＡＣ係数から予測する」と訂正することにより明瞭になるから、訂正事項３は、明瞭でない記載の釈明を目的とするものである。
　また、特許明細書の「予測回路１５０がＡＣ係数を予測した時点で、ＡＣ係数の一部分のみがブロック間の高い相関関係を示し得る。ＤＣＴトランスフォームコーディング及び水平予測の場合においては、予測解析に値するほど十分に高い相関関係を示す可能性の高い唯一のＡＣ係数は、ＤＣ係数と同じ縦行内にあるものである（ブロックＡ内で影のついたもの）。従って、ＤＣ係数と同じ縦行内のブロックＸの各々のＡＣ係数（ＡＣX（０，１）〜ＡＣX（０，ｎ））について、ＡＣ係数予測器３３０は、ブロックＡ（ＡＣA（０，１）〜ＡＣA（０，ｎ））の同じ場所に配置されたＡＣ係数に対応する予測を生成する。予測されたＡＣ係数は、ＡＣ予測残留信号を得るべく、減算器３４０においてブロックＸの実際のＡＣ係数から減算される。」（段落【００２９】）の記載から、ブロックＡにおけるＤＣＡと同じ列のＡＣ係数から予測するものであり、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（４）訂正事項４
　
　上記（１）訂正事項１と同様に、訂正事項４は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（５）訂正事項５
　
　上記（２）訂正事項２と同様に、訂正事項５は、明瞭でない記載の釈明を目的とするものである。
　また、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（６）訂正事項６
　
　上記（３）訂正事項３と同様に、訂正事項６は、明瞭でない記載の釈明を目的とするものである。
　また、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（７）訂正事項７
　
　請求項４に係る発明は、「復号器において、・・・ブロックＸについての係数を、・・・予測する方法」の発明であり、復号器における復号化方法についての発明であるから、訂正前の「前記ブロックＸの係数の可変長符号化」は、「前記ブロックＸの係数の可変長復号化」の誤記であることは明らかであるから、訂正事項７は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（８）訂正事項８
　
　上記（１）訂正事項１と同様に、訂正事項８は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（９）訂正事項９
　
　上記（２）訂正事項２と同様に、訂正事項９は、明瞭でない記載の釈明を目的とするものである。
　また、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（１０）訂正事項１０
　
　上記（３）訂正事項３と同様に、訂正事項１０は、明瞭でない記載の釈明を目的とするものである。
　また、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（１１）訂正事項１１
　
　上記（７）訂正事項７と同様に、請求項５に係る発明は、「復号器において、・・・ブロックＸについての係数を、・・・予測する方法」の発明であり、訂正事項１１は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（１２）訂正事項１２
　
　上記（１）訂正事項１と同様に、訂正事項１２は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（１３）訂正事項１３
　
　上記（２）訂正事項２と同様に、訂正事項１３は、明瞭でない記載の釈明を目的とするものである。
　また、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（１４）訂正事項１４
　
　上記（３）訂正事項３と同様に、訂正事項１４は、明瞭でない記載の釈明を目的とするものである。
　また、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（１５）訂正事項１５
　
　上記（７）訂正事項７と同様に、請求項６に係る発明は、「復号器において、・・・ブロックＸについての係数を、・・・予測する方法」の発明であり、訂正事項１５は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（１６）訂正事項１６
　
　請求項７に係る発明は、対象ブロックに対し、ＤＣ係数の予測とＡＣ係数の予測をどのように行うかについての方法発明であり、訂正前の「ブロックＸ」は、「対象ブロック」の誤記であることは明らかであるから、訂正事項１６は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（１７）訂正事項１７
　
　請求項７に係る発明は、対象ブロックに対し、ＤＣ係数の予測とＡＣ係数の予測をどのように行うかについての方法発明において、受信したＡＣ予測フラグが、対象ブロックの復号を行うときにＡＣ予測が行われるべきことを示す場合に、どのようにＡＣ係数を予測するかというステップを含むものであり、復号化方法についての発明である。したがって、訂正前の「符号化方法」は、「復号化方法」の誤記であることは明らかであり、訂正事項１７は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（１８）訂正事項１８
　
　上記（１６）訂正事項１６と同様に、請求項８に係る発明は、対象ブロックに対し、ＤＣ係数とＡＣ係数の予測をどのように行うかについての方法発明であり、訂正前の「ブロックＸ」は、「対象ブロック」の誤記であることは明らかであるから、訂正事項１８は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（１９）訂正事項１９
　
　請求項９に係る発明は、対象ブロックに対し、ＤＣ係数とＡＣ係数の予測を行う復号器の発明であり、訂正前の「ブロックＸ」は、「対象ブロック」の誤記であることは明らかであるから、訂正事項１９は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（２０）訂正事項２０
　
　上記（１９）訂正事項１９と同様に、請求項１０に係る発明は、対象ブロックに対し、ＤＣ係数とＡＣ係数の予測を行う復号器の発明であり、訂正前の「ブロックＸ」は、「対象ブロック」の誤記であることは明らかであるから、訂正事項２０は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（２１）訂正事項２１
　
　訂正前の「第１勾配が第２勾配より小さい場合には、ブロックＸのＤＣ係数ＤＣＸをＤＣＣを用いて発生し、それ以外の場合には、ブロックＸのＤＣ係数ＤＣＸをＤＣＡを用いて発生し、それ以外の場合には、ＤＣＸをＤＣＡを用いて発生するステップ」との記載は、「それ以外の場合には、ＤＣＸをＤＣＡを用いて発生」することが重複して記載されており、いずれか一方の記載が不要であることは明らかであるから、訂正前の「ブロックＸのＤＣ係数ＤＣＸをＤＣＣを用いて発生し、それ以外の場合には、ブロックＸのＤＣ係数ＤＣＸをＤＣＡを用いて発生し、それ以外の場合には、ＤＣＸをＤＣＡを用いて発生するステップと、」との記載を、「ブロックＸのＤＣ係数ＤＣＸをＤＣＣを用いて発生し、それ以外の場合には、ブロックＸのＤＣ係数ＤＣＸをＤＣＡを用いて発生するステップと、」に訂正する訂正事項２１は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（２２）訂正事項２２
　
　請求項１１に係る発明は、第１勾配が第２勾配より小さい場合には、ブロックＸにおけるＡＣ係数の第１行をブロックＣにおけるＤＣＣと同一行のＡＣ係数から予測することを受けて、その他の場合には、どのような予測をするかを定めたものであり、訂正前の「対象ブロック」、「第１ブロック」は、「ブロックＸ」、「ブロックＡ」の誤記であることは明らかであるから、訂正事項２２は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（２３）訂正事項２３
　
　上記（２１）訂正事項２１と同様に、訂正事項２３は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（２４）訂正事項２４
　
　訂正前の「ブロックＸのＤＣ係数をブロックＣから発生し、それ以外の場合にはブロックＸのＤＣ係数をブロックＡから発生する」の記載では、ブロックＸのＤＣ係数を、ブロックＣ又はブロックＡの何から発生するかについての限定がなかったものを、「ブロックＸのＤＣ係数をブロックＣにおけるＤＣＣから発生し、それ以外の場合にはブロックＸのＤＣ係数をブロックＡにおけるＤＣＡから発生する」に訂正することにより、ブロックＣ又はブロックＡの何から発生するか限定された。したがって、訂正事項２４は、特許請求の範囲の減縮を目的とするものである。
　また、特許明細書の「ＤＣ係数予測器は、ブロックＡ（ＤＣA）のＤＣ係数をブロックＢのＤＣ係数（ＤＣB）と比較する。ブロックＡ及びブロックＢのＤＣ係数の間の差は、垂直勾配である。ＤＣ係数予測器３００は同様に、ブロックＢのＤＣ係数（ＤＣB）とブロックＣのＤＣ係数（ＤＣC）を比較する。ブロックＣ及びブロックＢの係数の間の差は水平勾配である。
  ブロックＢからの最高の勾配と結び付けられたブロックは、予測のベースとして使用される。垂直勾配が水平勾配よりも大きい場合、ブロックＡがブロックＸと高い相関関係をもつことになると予想され、従って、ＤＣ係数予測器３００は、ブロックＸの予測のためのベースとしてそれがブロックＡを用いる水平予測を利用する。水平勾配が垂直勾配よりも大きい場合、従って、ＤＣ係数予測器３００は、ブロックＸの予測のためのベースとしてそれがブロックＣを用いる垂直予測を利用する。ＤＣ係数予測器３００は、減算器３１０に対し予測のために使用されたブロックのＤＣ係数（ＤＣA又はＤＣC）を出力する。」（段落【００２３】〜【００２４】）の記載から、ブロックＸのＤＣ係数をブロックＣにおけるＤＣＣから発生し、それ以外の場合にはブロックＸのＤＣ係数をブロックＡにおけるＤＣＡから発生するものであるから、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（２５）訂正事項２５
　
　訂正前の「ブロックＸにおける第１列を、ブロックＡにおけるＡＣ係数のＤＣＡと同じ列のＡＣ係数から予測する」との記載は、ブロックＸにおける第１列が何の第１列を指すかが明瞭でなく、ＤＣＡはＤＣ係数であるから、「ＡＣ係数のＤＣＡと同じ列のＡＣ係数」とはどのような意味であるのかが明瞭でなかったが、直前の記載である「ブロックＸにおけるＡＣ係数の第１行を、ブロックＣにおけるＤＣＣと同じ行のＡＣ係数から予測」に整合させて、「ブロックＸにおけるＡＣ係数の第１列を、ブロックＡにおけるＤＣＡと同じ列のＡＣ係数から予測する」と訂正することにより、その記載が明瞭になるから、訂正事項２５は、明瞭でない記載の釈明を目的とするものである。
　また、特許明細書の「ＤＣ係数と同じ縦行内のブロックＸの各々のＡＣ係数（ＡＣX（０，１）〜ＡＣX（０，ｎ））について、ＡＣ係数予測器３３０は、ブロックＡ（ＡＣA（０，１）〜ＡＣA（０，ｎ））の同じ場所に配置されたＡＣ係数に対応する予測を生成する。」（段落【００２９】）の記載から、ブロックＸにおけるＡＣ係数の第１列を、ブロックＡにおけるＤＣＡと同じ列のＡＣ係数から予測するものであるから、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（２６）訂正事項２６
　
　上記（２４）訂正事項２４と同様に、訂正事項２６は、特許請求の範囲の減縮を目的とするものである。
　また、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（２７）訂正事項２７
　
　上記（２５）訂正事項２５と同様に、訂正事項２７は、明瞭でない記載の釈明を目的とするものである。
　また、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（２８）訂正事項２８
　
　請求項１７に係る発明は、ブロックＸについてのＭＰＥＧ−４フォーマットされたビデオビットストリームを復号する復号化器についての発明であり、訂正前の「対象ブロック」は、「ブロックＸ」の誤記であることは明らかであるから、訂正事項２８は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（２９）訂正事項２９
　
　上記（２４）訂正事項２４と同様に、訂正事項２９は、特許請求の範囲の減縮を目的とするものである。
　また、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（３０）訂正事項３０
　
　上記（２５）訂正事項２５と同様に、訂正事項３０は、明瞭でない記載の釈明を目的とするものである。
　また、願書に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
（３１）訂正事項３１
　
　訂正前の「ＡＣ予測フラグが、ブロックＸの復号を行うときにＡＣ予測が行われたことを示す」という記載では、ブロックＸの復号を行うというこれからのことの説明として、既に、ＡＣ予測が行われたことを意味するものとなり、時制を考えると、「ＡＣ予測フラグが、ブロックＸの復号を行うときにＡＣ予測が行われることを示す」の誤記であることは明らかであるから、訂正事項３１は、誤記の訂正を目的とするものである。
　また、願書に最初に添付した明細書、特許請求の範囲又は図面に記載した事項の範囲内の訂正であり、請求項に記載した事項をより広い意味を表す表現や、別の意味を表す表現に入れ替える訂正ではなく、実質上特許請求の範囲を拡張し又は変更するものでない。
　
２．独立特許要件
　
　訂正事項２４，２６，２９は、特許請求の範囲の減縮を目的とするものであり、訂正事項１，４，７，８，１１，１２，１５，１６〜２３、２８，３１は、誤記の訂正を目的とするものであるので、これらの訂正事項を含む訂正後の請求項１〜１９に係る発明が特許出願の際独立して特許を受けることができるものであるかについて検討するに、訂正後の請求項１〜１９に係る発明について、拒絶すべき理由を発見しないから、請求項１〜１９に係る発明は、特許出願の際独立して特許を受けることができるものである。
　
３．まとめ
　
　以上によれば、本件訂正は、特許法第１２６条第５項ないし第７項までの規定に適合する。
　
第５　むすび
　
　以上、本件審判の請求に係る訂正は、特許法第１２６条第１項ただし書第１号ないし第３号にあげる事項を目的とし、かつ、同条第５項ないし第７項までの規定に適合する。
　
　よって、結論の通り審決する。